(57)【要約】【課題】  微弱な電波に対する受信効率を改善しようとする。【解決手段】  伝搬して来る電波に対して、アンテナの保持位置を前進・後退させることにより、受信効率が大きい位置にアンテナの保持位置を決める。【選択図】        図１
2005123897.tif 000002
【特許請求の範囲】
【請求項１】
電波の受信地点においてアンテナを保持するアンテナ保持部を有し、
上記アンテナ保持部は、上記アンテナの保持位置を、受信すべき電波が伝播して来る方向に移動させることによって上記アンテナを前進又は後退させることにより、受信信号の信号レベルを高めるようにする
ことを特徴とするアンテナ装置。
【請求項２】
上記アンテナ保持部は、アンテナを担持するアンテナ担持部を、アンテナの指向方向に沿う方向に延長するレール部材上を移動させることにより、上記アンテナを上記指向方向に前進又は後退させる
ことを特徴とする請求項１に記載のアンテナ装置。
【請求項３】
上記アンテナ保持部は、アンテナを保持するサブポールを、当該アンテナの指向方向を変更させないように、上記サブポールを支持する垂直マストの周囲を回動させることにより、上記アンテナを上記指向方向に前進又は後退させる
ことを特徴とする請求項１に記載のアンテナ装置。
【請求項４】
上記アンテナ保持部は、無指向性アンテナのアンテナ保持部材を当該アンテナ保持部材を支持する垂直マストの周囲に旋回させることにより、上記無指向性アンテナを上記指向方向に前進又は後退させる
ことを特徴とする請求項１に記載のアンテナ装置。
【発明の詳細な説明】
【技術分野】
【０００１】
本発明は、アンテナ装置に関し、特に微弱な電波を効率よく受信できるようにしたものである。
【背景技術】
【０００２】
アマチュア無線局同士で交信する場合、限られた数ワット程度の電力で、どこまで遠距離地点まで交信することができるかという点がアマチュア無線の醍醐味として、無線局を運用しており、従って受信すべき電波は微弱であり、当該微弱な電波をできるだけ効率よく受信する方法について種々の工夫がなされている。
【発明の開示】
【発明が解決しようとする課題】
【０００３】
ところが、従来受信効率を高める手法として、より大きいアンテナを用いたり、アンテナ直下に設けた前置増幅器の性能を向上させる点に着目しているものが多いが、この手法はできるだけ小規模な設備を使いたい場合には適用できない問題がある。
【０００４】
本発明は以上の点を考慮してなされたもので、アンテナの規模や前置増幅器の性能以外の観点から受信効率を向上させることができるようにしたアンテナ装置を提案しようとするものである。
【課題を解決するための手段】
【０００５】
かかる課題を解決するため本発明においては、電波の受信地点において、アンテナの保持手段を、アンテナの指向方向に沿う方向に移動させ、又はアンテナ保持手段を垂直マストの周囲に旋回させることにより、アンテナを受信すべき電波が伝搬して来る方向に前進又は後退させるようにする。
【発明の効果】
【０００６】
本発明によれば、アンテナを受信すべき電波が伝搬して来る方向に前進又は後退させるようにしたことにより、電波の受信効率が大きい位置にアンテナを移動させることができ、これにより受信効率を一段と改善できる。
【発明を実施するための最良の形態】
【０００７】
以下図面について、本発明の一実施の形態を詳述する。
【０００８】
図１において、１は全体としてアンテナ装置を示し、４本の支持脚２によって支持される基台３上に２組の八木アンテナでなるアンテナ４Ａ及び４Ｂを保持するアンテナ保持部５が設けられている。
【０００９】
アンテナ保持部５は垂直方向に立設された垂直マスト１１を有し、その下端部１１Ａが基台３上に取付けられた旋回用駆動部１２のモータの出力軸に連結保持されると共に、上端部１１Ｂにアンテナ移動機構１３を介してアンテナ４Ａ及び４Ｂが進退自在に取り付けられている。
【００１０】
アンテナ移動機構１３は垂直マスト１１の上端部１１Ｂの一側面に水平方向に外方に突出するように固着されたレール部材１４を有し、当該レール部材１４上に矢印ａで示すようにその延長方向に進退自在に移動する担持部１５が装着されている。
【００１１】
担持部１５は、図２に示すように、レール部材１４の左側面及び右側面に対向するように配設された左及び右側板部２１Ｌ及び２１Ｒを有し、図３に示すように、その対向面間の後方上部及び下部並びに前方上部及び下部の四隅の位置に後方上部ローラ１６ＢＵ及び後方下部ローラ１６ＢＤ並びに前方上部ローラ１６ＦＵ及び前方下部ローラ１６ＦＤがそれぞれレール部材１４の上及び下表面にこれを挟んで転接するように設けられ、これにより担持部１５がローラ１６ＢＵ及び１ＢＤ並びに１６ＦＵ及び１６ＦＤによってレール部材１４に沿って前方又は後方に移動できるようにレール部材１４上に装着される。
【００１２】
この実施の形態の場合、後方上部ローラ１６ＢＵ及び前方上部ローラ１６ＦＵ間にスペーサ１７が設けられると共に、後方下部ローラ１６ＢＤ及び前方下部ローラ１６ＦＤ間に摺接部材１８が設けられ、左及び右側板部２１Ｌ及び２１Ｒとレール部材１４との間の間隙を適正に形成すると共に、摺接部材１８の調整ねじ１８Ａを調整することにより摺動板１８Ｂをばね１８Ｃによってレール部材１４に摺接させ、これによりレール部材１４に適度なすべりで摺接することにより、担持部１５がレール部材１４上をがたつくことなく移動すると共に、担持部１５を必要に応じて位置決めできるようになされている。
【００１３】
左及び右側板部２１Ｌ及び２１Ｒ上面には、これを跨がるようにアンテナブーム取付部２１（図４）の取付板２２が取り付けられている。
【００１４】
取付板２２の左及び右側部２２Ｌ及び２２Ｒ上には、それぞれ前後方向に断面コ字状の取付台２３Ｌ及び２３Ｒが前後方向に延長するように設けられ、その上方に延長する一対の板部の中央部に形成された歯車凹部２４Ｌ及び２４Ｒ上に左右方向に延長するように配設されたアンテナブーム２５を、Ｕボルト２６Ｌ及び２６Ｒによって取付台２３Ｌ及び２３Ｒの取付孔２７Ｌ及び２７Ｒを用いて締め付けることにより、アンテナブーム２５を取付板２２と一体に固着する。
【００１５】
図５及び図６に示すように、取付板２２の下面における左及び右側板部２１Ｌ及び２１Ｒの外側面に対向する位置には、前後方向に断面Ｌ字状の固定アングル２８Ｌ及び２８Ｒが溶接され、固定アングル２８Ｌ及び２８Ｒの下方に突出する板部におけるローラ１６ＢＵ及び１６ＦＵの両端に対向する位置に設けられた取付孔２９ＬＢ、２９ＲＢ及び２９ＬＦ、２９ＲＦに、取付ボルト３０Ｂ及び３０Ｆを挿通することにより、取付板２２を左及び右側板部２１Ｌ及び２１Ｒに取り付けると同時に、当該取付ボルト３０Ｂ及び３０Ｆによってローラ１６ＢＵ及び１６ＦＵを左及び右側板部２１Ｌ及び２１Ｒ間に回転自在に保持する。
【００１６】
これに対して下部ローラ１６ＢＤ及び１６ＦＤは別途取付ボルト３１Ｂ及び３１Ｆによって装着される（図２、図３）。
【００１７】
レール部材１４の右側面側には、これに沿うように前後方向に延長する雄ねじ部３３と、担持部１５に固定された雌ねじ部３４とを有するスレッド機構３５が設けられ、レール部材１４の先端部に設けられた前進・後退駆動部３６の駆動モータによって雄ねじ部３３を正転又は逆転させることにより、当該雄ねじ部３３とかみ合う雌ねじ部３４（従って担持部１５）を矢印ａ（図１）で示す前方向及び後方向に移動させることができるようになされている。
【００１８】
アンテナブーム２５の両端には、これと直交する方向に（従ってレール部１４に沿う方向に）アンテナ素子を配列するように、アンテナ４Ａ及び４Ｂが固定されている。
【００１９】
以上の構成において、アンテナ装置１を用いてアマチュア無線の交信をしようとする場合、ユーザが交信地点を定めてアンテナ装置１（図１）の基台３を、垂直マスト１１が垂直方向に立設し、かつアンテナ移動機構１３に保持されたアンテナ４Ａ及び４Ｂが水平方向に向くように、設置する。
【００２０】
この状態において、ユーザは図７の方向・進退操作盤４１の電源スイッチ４１Ａを投入すると共に、方向・進退選択スイッチ４１Ｂを「方向」側に倒して右旋回操作子４２Ａ又は左旋回操作子４２Ｂを操作することにより、旋回駆動部１２の駆動モータを正転又は逆転させることにより、垂直マスト１１を矢印ｂで示すように右旋回又は左旋回させる。
【００２１】
このときアンテナ４Ａ及び４Ｂによって捕捉できた微弱な電波の受信レベルを使用しているトランシーバ等で表示させながら、ユーザによってアンテナ４Ａ及び４Ｂの旋回方向を、最も受信レベルが最も高くなる方角に設定させる。
【００２２】
この状態において、ユーザは操作盤４１の方向・進退選択スイッチ４１Ｂを「進退」側に切り換えて前進操作子４４Ａ又は後退操作子４４Ｂを操作することにより、前進・後退駆動部３６の駆動モータを正転又は逆転駆動することによりスレッド機構３５を介して担持部１５をレール部材１４上を前進又は後退させ、これにより担持部１５の位置を移動させる。
【００２３】
当該位置調整作業において、受信レベルが最も高い目盛位置に担持部１５を設定すると、アンテナ４Ａ及び４Ｂによって最も効率良く微弱電波を受信できる位置を決めたことになる。
【００２４】
以上の構成によれば、旋回駆動部１２によって決めた方角から到来する電波について、前進・後退駆動部３６によってアンテナ４Ａ及び４Ｂを最も受信効率の良い位置に位置決めできるが、その理由は次の通りであると考えられる。
【００２５】
アンテナ４Ａ及び４Ｂの方向から伝播して来る電波は、図８に示すように、時間ｔの経過に従って進行する電波の変化とその波長の計算式によって決まる周期Ｔ〔ｍ〕について、電界及び磁界の強さが最も弱くなる点が２つ（周期Ｔの開始点・中間点の２つ）ある。
【００２６】
電界又は、磁界が同じ状態を繰り返す時間的な間隔、すなわち周期Ｔは、波動の周波数をｆ〔Ｈｚ〕とすると、
【００２７】
【数１】
2005123897.tif 000003
【００２８】
であり、波長λは場所的に同じ状態を繰り返す電波の進行方向で測った距離なので、電波の伝わる速度υは
【００２９】
【数２】
2005123897.tif 000004
【００３０】
であるから、
【００３１】
【数３】
2005123897.tif 000005
【００３２】
となる。電波の伝わる速度は、光速に等しく、真空中では、実用上３×１０８〔ｍ／ｓｅｃ〕であるが、概略空気中でも同じ速度と考えることができる。従って周波数ｆを、〔ＭＨｚ〕で表わせば、電波の空間での波長λは、
【００３３】
【数４】
2005123897.tif 000006
【００３４】
で計算できる。
【００３５】
このような電波がアンテナ４Ａ及び４Ｂが向いた方角から伝播して来る状態を考えたとき、電界及び磁界の強さが弱い地点を避けて最も強い地点に移動させれば、伝播して来た電波を弱い地点で受信する場合と比較して効率良い状態で受信できると考えられる。
【００３６】
実験の結果を図９に示す。
【００３７】
この実験結果は、平成１５年６月１日、受信アンテナを「小田原市堀之内」地域の地点に設置し、１２局のコールサインを選択してそれぞれアンテナの方角を各コールサインのアマチュア無線局の方向に向けた時の受信レベルを記録し、その後アンテナ移動機構１３の担持部１５を電波の到来方向に、前方に又は後方に、移動させることにより、移動後の受信レベルが最大になったとき当該移動後の受信レベルを記録したものである。
【００３８】
図９において、受信レベルは受信機Ｓメータの目盛を表すが、受信電波が微弱なとき、受信レベルが２目盛分程度でも大きくなれば、交信内容が了解できない状態から了解できる状態に修正できるので、アマチュア無線の交信効果がかなり大きいと言い得る。
【００３９】
（２）第２の実施の形態
図１０は第２の実施の形態を示すもので、図１との対応部分に同一符号を付して示すように、基台３上に設けられた旋回駆動部１２によって旋回駆動される垂直マスト１１にはアンテナ保持部５２を旋回自在に支持する上方及び下方マストベアリング５１Ｈ及び５１Ｌが設けられており、下端を下方マストベアリング５１Ｌに溶接された支持パイプ５３が外方斜め上方に延長して回転駆動部５４の支持板５５に溶接されている。
【００４０】
支持板５５及び上方マストベアリング５１Ｈは固定部材５６の両端に固定され、これにより回転駆動部５４が垂直マスト１１の周りを固定部材５６の長さだけ離間した位置において回転できるように回転駆動部５４が垂直マスト１１に支持される。
【００４１】
回転駆動部５４は、回転駆動用モータ６０を有し、その出力軸に保持された補助マスト６１を垂直方向に立設させた状態で回転させる。
【００４２】
補助マスト６１の上端部には、水平方向に延長するアンテナブーム２５がＵボルト２６Ｌ及び２６Ｒ並びに固定金具６２によって固定され、これにより図１について上述したと同様のアンテナブーム２５の両端に設けられたアンテナ４Ａ及び４Ｂを補助マスト６１と共に回転しながら伝搬して来る電波の方向にアンテナ４Ａ及び４Ｂの指向方向を合わせることができる。
【００４３】
回転駆動部５４の回転駆動用モータ６０にはスプロケット６３が補助マスト６１と同じ方向及び量だけ回転できるように設けられていると共に、同じ直径及び歯数を有する固定スプロケット６４が回転スプロケット６３と対向するように垂直マスト１１の上端に固定されている。
【００４４】
回転スプロケット６３及び６４には、図１１に示すように、チェーン６５がかけられ、これにより回転スプロケット６３が回転駆動されたとき、チェーン６５によって回転スプロケット６３、従って回転駆動部５４が、上方及び下方マストベアリング５１Ｈ及び５１Ｌのベアリング動作と共に、固定スプロケット６４、従って垂直マスト１１の周囲を回転スプロケット６３の回転量に応じて遊星運動をする。
【００４５】
このとき、回転スプロケット６３、従って補助マスト６１が矢印ｃに示すように時計方向に回転すると、当該回転スプロケット６３の回転量に相当する量だけ回転スプロケット６３を保持している回転駆動部５４が矢印ｄに示すように反時計方向に遊星運動することにより、補助マスト６１によって回転スプロケット６３に保持されているアンテナ４Ａ及び４Ｂの指向方向が修正され、これによりアンテナ４Ａ及び４Ｂの指向方向が常に同じ方角を維持する。
【００４６】
以上の構成において、ユーザがアンテナ４Ａ及び４Ｂが水平方向に向くように基台３を交信位置に設置した状態にし、受信機Ｓメータを見ながら右旋回操作子４２又は左旋回操作子４２Ｂを操作することにより、アンテナ４Ａ及び４Ｂの指向方向を電波が伝搬して来る方向に合わせることができる。
【００４７】
この状態において、ユーザが前進操作子４４Ａ及び後退操作子４４Ｂを操作すると、回転駆動部５４の回転駆動用モータ６０が回転することにより回転駆動部５４、従ってアンテナ４Ａ及び４Ｂの位置が図１１の矢印ｄの方向に遊星運動する。
【００４８】
この遊星運動の間においても、アンテナ４Ａ及び４Ｂの指向方向は修正されるので、アンテナ４Ａ及び４Ｂの指向方向は常に電波が伝搬して来る方向に合った状態を維持する。
【００４９】
これに対して、電波が伝搬して来る方向に対するアンテナ４Ａ及び４Ｂの位置は、アンテナ４Ａ及び４Ｂの遊星運動量に従って後方に後退したり、前方に前進したり移動する。
【００５０】
そこで、ユーザは受信機Ｓメータの表示を見ながら、前進操作子４４Ａ又は後退操作子４４Ｂを操作することにより、受信機Ｓメータの表示が最大となる位置を確認してアンテナ４Ａ及び４Ｂの運動を停止させる。
【００５１】
以上の構成によれば、ユーザは受信レベルが最も大きい位置にアンテナ４Ａ及び４Ｂを設定することができ、これにより効率良く微弱な電波を受信することができる。
【００５２】
（３）第３の実施の形態
図１２は第３の実施の形態を示すもので、図１０の構成において、固定スプロケット６４の周囲をチェーン６５を介して回転スプロケット６３を遊星運動させる構成に代えて、かかる遊星運動を３枚の歯車７０、７１及び７２によって実現しようとするものである。
【００５３】
この場合、第１の歯車、すなわち固定歯車７０は図１０の固定スプロケット６４に代えて垂直マスト１１に固定され、また第３の歯車、すなわち回転歯車７２は図１０の回転駆動部５４の回転スプロケット６３に代えて回転駆動用モータ６０に装着され、さらに、第２の歯車、すなわちアイドラ歯車７１が固定歯車７０及び回転歯車７２にかみ合うと共に固定歯車７０と共にギヤボックス上に装着されている。
【００５４】
固定歯車７０、アイドラ歯車７１及び回転歯車７２は同じ半径かつ同じ歯数を有し、回転歯車７２が回転駆動用モータ６０によって回転駆動されたとき、回転歯車７２の回転量分だけアイドラ歯車７１が回転されることによりアイドラ歯車７１が固定歯車７０の外側縁に沿って当該回転量分に相当する角度位置だけ移動し、これにより固定歯車７０、アイドラ歯車７１及び回転歯車７２の中心を通る中心線Ｌ１がギヤボックスの回転に従って固定歯車７０の中心点を中心として回転した角度位置まで回転する。その結果回転歯車７２は固定歯車７０を中心として自転しながら遊星運動する。
【００５５】
以上の構成において、回転駆動機構５４の回転駆動用モータ６０によって、回転歯車７２が実線図示の回転位置Ｐ３１から時計方向に９０度の回転位置Ｐ３２まで回転すると、アイドラ歯車７１が９０度分回転されることにより、固定歯車７０の実線図示の回転位置Ｐ１１にかみ合っている状態から破線図示の回転位置Ｐ１２にかみ合う状態に自転しながら移動する。
【００５６】
従って中心線Ｌ１は固定歯車７０を中心として回転位置Ｐ１１から反時計方向に９０度回転し、これにより回転歯車７２は自転しながら当該９０度回転した位置に遊星運動する。
【００５７】
この回転歯車７２の遊星運動の間に、回転駆動部５４に装着されたアンテナ４Ａ及び４Ｂは回転歯車７２と一体に遊星運動するが、アンテナ４Ａ及び４Ｂの指向方向は運動の間に同じ方向を維持する。
【００５８】
すなわち、駆動前において、アンテナ４Ａ及び４Ｂの指向方向が中心線Ｌ１と一致している（従って電波が伝搬して来る方向に向いている）状態から、回転歯車７２が回転位置Ｐ３１から時計方向に回転位置Ｐ３２まで９０度回転すると、アンテナ４Ａ及び４Ｂは中心線Ｌ１に対して時計方向に９０度回転した方向に向く。しかしながら、中心線Ｌ１は固定歯車７０を中心にして反時計方向に９０度回転した位置に回転するから、アンテナ４Ａ及び４Ｂの中心線Ｌ１に対する回転は中心線Ｌ１の回転によって修正され、これによりアンテナ４Ａ及び４Ｂの指向方向は常に同じ方角（すなわち電波が伝搬して来る方向）に向くことになる。
【００５９】
以上の構成によれば、回転歯車７２の中心軸に装着されたアンテナ４Ａ及び４Ｂを、当該アンテナ４Ａ及び４Ｂの指向方向を変更せずに、歯車７０ないし７２の直径の２倍の距離を半径とする円上を遊星運動できることにより、電波が伝搬して来る方向にアンテナ４Ａ及び４Ｂを前進・後退させることができる。
【００６０】
図１２の場合は３枚の歯車を用いたが、これに代え、図１３に示すように、５枚の歯車を使用しても、上述の場合と同様にしてアンテナ４Ａ及び４Ｂの前進・後退を実現できる。
【００６１】
図１３の場合、回転歯車７５は３つのアイドラ歯車７６、７７及び７８を介して固定歯車７９に連結される。
【００６２】
回転歯車７５及び固定歯車７９は同一の半径及び同一の歯数を有するのに対して、アイドラ歯車７６ないし７８は、例えばその１／２の半径及び歯数を有する。
【００６３】
以上の構成において、回転歯車７５が実線図示の回転位置Ｐ５１から時計方向に９０度回転した破線図示の回転位置Ｐ５２に回転すると、この回転がアイドラ歯車７６、７７及び７８を介して固定歯車７９に伝えられることにより、固定歯車７９とかみ合うアイドラ歯車７８が固定歯車７９の周りを実線図示の回転位置Ｐ４１から反時計方向に４５度回転した破線図示の回転位置Ｐ４２にまで回転する。
【００６４】
以上の構成によれば、アンテナ４Ａ及び４Ｂが回転駆動部５４によって時計方向に４５度回転すれば、同じように回転する回転歯車７５が、矢印５で示すようにアイドラ歯車７６ないし７８を介して、時計方向に自転しながら固定歯車７９上を反時計方向に回転位置Ｐ４２に対応する位置まで移動する。
【００６５】
かくして、アンテナ支持用の回転歯車７５に連結されたアンテナ４Ａ及び４Ｂはその指向方向を変えることなく固定歯車７９をを中心として遊星運動する。
【００６６】
従って図１０に上述したと同様にしてユーザは、アンテナ４Ａ及び４Ｂによる受信効率が大きい位置にアンテナ４Ａ及び４Ｂを位置決めすることができる。
【００６７】
（４）第４の実施の形態
図１４は、第４の実施の形態を示すもので、図１との対応部分に同一符号を付して示すように、基台３上に設けられた旋回駆動部１２の出力軸に連結して立設させた垂直マスト１１に、アンテナ保持部８１を介して無指向性アンテナ８２が保持されている。
【００６８】
アンテナ保持部８１は、垂直マスト１１の先端部に嵌め込むように固着された円筒状取付部材８３を有し、取付部材８３の上部及び下部位置に放射方向に外方に一対の支持脚８４Ａ及び８４Ｂが突設され、その遊端に上下方向に延長するように固着された円筒状アンテナ保持部材８５に、無指向性アンテナ８２が装着されている。
【００６９】
以上の構成において、ユーザが右旋回操作子４２Ａ又は左旋回操作子４２Ｂ（図７）を操作することにより、旋回駆動部１２によって垂直マスト１１を旋回駆動させると、アンナテ保持部材８５、従って無指向性アンテナ８２は垂直マスト１１を中心として、支持脚８４Ａ及び８４Ｂの長さに相当する半径をもつ仮想円上を旋回する。
【００７０】
このとき無指向性アンテナ８２は伝搬して来る電波の方向について、その立設位置を前進又は後退するように移動することにより、受信機Ｓメータの指示が、当該立設位置の移動に伴って無指向性アンテナ８２が受信する受信レベルが変化することにより、変化する。
【００７１】
かくして、ユーザは受信機Ｓメータの表示が最も大きくなる旋回位置で旋回駆動部１２の旋回動作を停止させれば、伝搬して来る電波を効率良く受信することができる。
【００７２】
なお、上述の実施の形態においては、本発明をアマチュア無線機に適用した場合について述べたが、これに限らず、受信すべき電波が微弱な無線通信設備に適用し得る。
【産業上の利用可能性】
【００７３】
アマチュア無線の外、受信すべき電波が微弱な無線通信設備に利用できる。
【図面の簡単な説明】
【００７４】
【図１】本発明の第１の実施の形態によるアンテナ装置の全体構成を示す斜視図である。
【図２】図１の担持部を示す側面図である。
【図３】図１の担持部１５の内部構造を示す縦断面図である。
【図４】図１のアンテナブーム取付部を示す分解斜視図である。
【図５】図４の取付板を示す底面図である。
【図６】図４の取付板の取り付け方を示す正面図である。
【図７】操作盤を示す正面図である。
【図８】電磁波の伝搬原理の説明に供する略線図である。
【図９】実験結果を示す図表である。
【図１０】第２の実施の形態によるアンテナ装置を示す側面図である。
【図１１】図１０のスプロケットの構成を示す平面図である。
【図１２】第３の実施の形態によるアンテナ装置に用いられる歯車機構の説明に供する略線図である。
【図１３】歯車機構の他の例を示す略線図である。
【図１４】第４の実施の形態によるアンテナ装置を示す斜視図である。
【符号の説明】
【００７５】
１……アンテナ装置、２……支持脚、３……基台、４Ａ、４Ｂ……アンテナ、５……アンテナ保持部、１１……垂直マスト、１２……旋回駆動部、１３……アンテナ移動機構、１４……レール部材、１５……担持部、１６ＢＵ、１６ＦＵ・１６ＢＤ、１６ＦＤ……上部・下部ローラ、１７……スペーサ、１８……摺接部材、２５……アンテナブーム、３０Ｂ、３０Ｆ、３１Ｂ、３１Ｆ……取付ボルト、２１Ｌ・２１Ｒ……左・右側板部、３３……雄ねじ部、３４……雌ねじ部、３５……スレッド機構、３６……前進・後退駆動部、４１……操作盤、４２Ａ、４２Ｂ、４４Ａ、４４Ｂ……操作子、４３……方向表示器、５１Ｌ、５１Ｈ……下方・上方マストベアリング、５２……アンテナ保持部、５３……支持パイプ、５４……回転駆動部、５５……支持板、６０……回転駆動用モータ、６１……補助マスト、６２……固定金具、６３……回転スプロケット、６４……固定スプロケット、６５……チェーン、７０、７９……固定歯車、７１、７６〜７８……アイドラ歯車、７２、７５……回転歯車、８１……アンテナ保持部、８２……無指向性アンテナ、８３……取付部材、８４Ａ、８４Ｂ……支持脚、８５……アンテナ保持部材。
【図１】
2005123897.tif 000007
【図２】
2005123897.tif 000008
【図３】
2005123897.tif 000009
【図４】
2005123897.tif 000010
【図５】
2005123897.tif 000011
【図６】
2005123897.tif 000012
【図７】
2005123897.tif 000013
【図８】
2005123897.tif 000014
【図９】
2005123897.tif 000015
【図１０】
2005123897.tif 000016
【図１１】
2005123897.tif 000017
【図１２】
2005123897.tif 000018
【図１３】
2005123897.tif 000019
【図１４】
2005123897.tif 000020